(57)【要約】【課題】記録媒体の残量表示に、ワンセグ放送録画分とフルセグ放送録画分の双方を反映させる。【解決手段】フルセグ録画量累積値と、ワンセグ録画量累積値を記憶する。このフルセグ録画量累積値およびワンセグ録画量累積値と、記録装置（ＨＤＤ）の録画エリア全記録容量から、前記記録装置の記録可能な残量％を算出する。前記フルセグ録画量累積値に対応するバーグラフ画像（１４６ａ、１４６ｂ）と、前記ワンセグ録画量累積値に対応するバーグラフ画像（１４６ｃ、１４６ｄ）と、前記記録可能な残量％の表示画像（１４６ｅ）を、区別して同一画面上に表示する。【選択図】    図９
2010056760.tif 000002
【特許請求の範囲】
【請求項１】
複数セグメントが多重化されるデジタル放送方式の放送番組を記録する記録装置を用いる映像装置であって、前記複数セグメントのうちの１つをワンセグメントとし、このワンセグメント以外の前記複数セグメントをフルセグメントとしたときに、
前記フルセグメントを用いた放送番組の記録量をフルセグメント記録量として検出するフルセグメント記録量検出手段と、
前記フルセグメント記録量の累積値を記憶するフルセグメント記録量記憶手段と、
前記ワンセグメントを用いた放送番組の記録量をワンセグメント記録量として検出するワンセグメント記録量検出手段と、
前記ワンセグメント記録量の累積値を記憶するワンセグメント記録量記憶手段と、
前記フルセグメント記録量の累積値および前記ワンセグメント記録量の累積値と、前記記録装置の全記録容量から、前記記録装置の記録可能な残量を算出する残量算出手段と、
前記フルセグメント記録量の累積値に対応する第１の画像と、前記ワンセグメント記録量の累積値に対応する第２の画像と、前記記録可能な残量に対応する第３の画像を、区別して表示させる表示手段を具備した映像装置。
【請求項２】
前記第１の画像、前記第２の画像および前記第３の画像は、同じ画面上で視認できるように表示される請求項１に記載の装置。
【請求項３】
前記記録装置の記録エリアは前記フルセグメント記録量の累積値と前記ワンセグメント記録量の累積値の分消費され、
前記第３の画像は、前記記録装置の前記全記録容量に対する前記記録可能な残量の割合を％表示した数値を含み、
前記ワンセグメント記録量の累積値がゼロでない限り、前記フルセグメント記録量の累積値がゼロであっても、前記％表示した数値が１００％にならないように構成された請求項１に記載の装置。
【請求項４】
前記ワンセグメント記録量の累積値に対応する第２の画像は、誤消去から保護された部分および消去可能な部分を含むことができるように構成され、前記第２の画像に前記誤消去から保護された部分および／または前記消去可能な部分がある限り、前記記録可能な残量の割合を％表示した数値が１００％にならないように構成された請求項３に記載の装置。
【請求項５】
前記記録装置の記録エリアから前記フルセグメント記録量の一部または全部を削除可能に構成し、
前記記録装置の記録エリアから前記ワンセグメント記録量の一部または全部を削除可能に構成し、
前記フルセグメント記録量および前記ワンセグメント記録量の削除分が前記％表示した数値に反映されるように構成された請求項３に記載の装置。
【請求項６】
複数セグメントが多重化されるデジタル放送方式の放送番組を記録するもので用いられる方法であって、前記複数セグメントのうちの１つをワンセグメントとし、このワンセグメント以外の前記複数セグメントをフルセグメントとしたときに、
前記フルセグメントを用いた放送番組の記録量をフルセグメント記録量として検出し、
前記フルセグメント記録量の累積値を記憶し、
前記ワンセグメントを用いた放送番組の記録量をワンセグメント記録量として検出し、
前記ワンセグメント記録量の累積値を記憶し、
前記フルセグメント記録量の累積値および前記ワンセグメント記録量の累積値と、前記記録装置の全記録容量から、前記記録装置の記録可能な残量を算出し、
前記フルセグメント記録量の累積値に対応する第１の画像と、前記ワンセグメント記録量の累積値に対応する第２の画像と、前記記録可能な残量に対応する第３の画像を、区別して表示させる残量表示方法。
【発明の詳細な説明】
【技術分野】
【０００１】
この発明は、ワンセグ放送の録画機能を持つ映像装置およびこの装置で用いられる記録媒体の残量表示方法に関する。
【背景技術】
【０００２】
近年、テレビジョン放送のデジタル化が推進されている。日本国内では、ＢＳ（Broadcasting Satellite）デジタル放送、１１０度ＣＳ（Communication Satellite）デジタル放送等の衛星デジタル放送だけでなく、地上デジタル放送も開始されている。
【０００３】
地上デジタル放送の技術規格であるＩＳＤＢ−Ｔ（Integrated Services Digital Broadcasting for Terrestrial）では、１放送事業者に割り当てられる６ＭＨｚの周波数帯域中に、「セグメント」と呼ばれる伝送単位が１３個多重されている。このＩＳＤＢ−Ｔでは、セグメント単位で最大３階層まで変調方式を変えることができるようになっている。また、１３セグメントのうちの中央の１セグメントについて、セグメント横断的な周波数インターリーブを行わないことによって、その１セグメントのみを部分受信することも可能となっている。この１セグメントだけの放送は一般に「ワンセグ放送」と略称され、低ビットレートの低解像度放送に利用される。一方、ワンセグ分を除いた１２セグメントの放送は「フルセグ放送」と略称され、ハイビジョン放送など高ビットレートの高解像度放送に利用される。フルセグ放送は、ハイビジョンデジタルＴＶなどの大画面で視聴される。一方、ワンセグ放送は、携帯電話など小型省電力な受信機で小画面視聴されるのが普通であるが、デジタルＴＶの子画面などで視聴することもできる。
【０００４】
同じ放送局から同時に放送されるフルセグ番組とワンセグ番組は、通常は同一内容である。その場合、フルセグ放送の方が高画質であるから、デジタルＴＶでワンセグ放送を大画面視聴することは殆どないと思われる。しかし、デジタルＴＶ側でワンセグ放送番組を録画し、それをメモリカードにダビング（ムーブ）し、そのメモリカードを携帯電話に装着して、携帯電話でワンセグ番組録画を視聴する、という利用形態はあり得る。また、ワンセグ放送の内容がフルセグ放送の内容と異なる場合は、デジタルＴＶでフルセグ放送およびワンセグ放送を録画し、フルセグ放送録画はデジタルＴＶで大画面視聴する一方、ワンセグ放送録画はデジタルＴＶの子画面で（または後に携帯電話やゲーム機等で）視聴する、という利用形態はあり得る。
【０００５】
ワンセグ放送開始に伴い、大容量記録媒体（ハードディスク、光ディスク、メモリカードなど）にフルセグ放送番組だけでなくワンセグ放送番組も録画をすることが提案されている（特許文献１参照）。また、録画済み記録媒体の残量表示をすることも提案されている（特許文献２参照）。
【特許文献１】特開２００７−２５１８０３号公報
【特許文献２】特開２００１−１６０２８１号公報
【発明の開示】
【発明が解決しようとする課題】
【０００６】
特許文献１では、ワンセグ放送（１セグメント放送）とフルセグ放送（１２セグメント放送）を同時記録し、相互に関連付けながら個別管理している（図２、図５）。また、特許文献２では、録画リスト欄の表示で、録画の品質（高画質か標準画質か等）によって残量（残り記録可能時間）が異なることを表示している（図１１、図１２）。
【０００７】
ここで、同じ内容で同時放送されるフルセグ番組とワンセグ番組をＨＤＤ（Hard Disk Drive）などの記録媒体に同時録画する装置において、ＨＤＤの残量表示することを考えてみる。この場合、ＨＤＤにはフルセグ放送録画分とワンセグ放送録画分の両方が同じ番組タイトルで記録される。そのため、ある番組タイトルのフルセグ録画分が削除されたとしても、同じ番組タイトルのワンセグ録画分が消されずに残っていると、ＨＤＤの残量はユーザが予期するほど増えない。あるいは、フルセグ録画分が全て削除されたとしても、ワンセグ録画分が消されずに残っていると、ＨＤＤはブランク状態にならない。すると、ユーザは、録画番組を全て削除したつもりでいても、ＨＤＤの残量表示が１００％にならないため、まごついてしまう（装置の分厚い操作マニュアルなど通読せず、装置の操作に慣れていないユーザは、同じ番組なのでフルセグ録画分を消去したときにワンセグ録画分も消されたものと誤解することがある）。
【０００８】
この発明の課題の１つは、ワンセグ放送とフルセグ放送の両方を記録できる映像装置において、記録媒体の残量表示に、ワンセグ放送録画分とフルセグ放送録画分の双方を反映させることである。
【課題を解決するための手段】
【０００９】
この発明の一実施の形態に係る映像装置（デジタルＴＶ１１など）は、複数セグメント（１３個の伝送単位）が多重化されるデジタル放送方式（ＩＳＤＢ−Ｔ）の放送番組を記録する記録装置（内臓ＨＤＤ８０など）を用いる。ここで、前記複数セグメントのうちの１セグメントをワンセグとし、このワンセグ以外の前記複数セグメントをフルセグとしたときに、前記映像装置は、
前記フルセグを用いた放送番組（フルセグ番組）の記録量をフルセグ記録量（フルセグ番組記録時間とフルセグ番組記録レートの積に比例するデータ量）として検出するフルセグ記録量検出手段（ＳＴ１０６ａ〜ＳＴ１０８ａを実行するＭＰＵ６５）と、
前記フルセグ記録量の累積値（例えば２５０ＧＢ）を記憶するフルセグ記録量記憶手段（ＳＴ１１０ａを実行するＭＰＵ６５）と、
前記ワンセグを用いた放送番組（ワンセグ番組）の記録量をワンセグ記録量（ワンセグ番組記録時間とワンセグ番組記録レートの積に比例するデータ量）として検出するワンセグ記録量検出手段（ＳＴ１０６ｂ〜ＳＴ１０８ｂを実行するＭＰＵ６５）と、
前記ワンセグ記録量の累積値（例えば２０ＧＢ）を記憶するワンセグ記録量記憶手段（ＳＴ１１０ｂを実行するＭＰＵ６５）と、
前記フルセグ記録量の累積値（例えば２５０ＧＢ）および前記ワンセグ記録量の累積値（例えば２０ＧＢ）と、前記記録装置（ＨＤＤ）の全記録容量（例えば１０００ＧＢ）から、前記記録装置（ＨＤＤ）の記録可能な残量（７３０ＧＢ）を算出する残量算出手段（ＳＴ１１２を実行するＭＰＵ６５）と、
前記フルセグ記録量の累積値（例えば２５０ＧＢ）に対応する第１の画像（図９の１４６ａ、１４６ｂ）と、前記ワンセグ記録量の累積値（例えば２０ＧＢ）に対応する第２の画像（図９の１４６ｃ、１４６ｄ）と、前記記録可能な残量（７３０ＧＢ）に対応する第３の画像（図９の１４６ｅ）を、区別して表示させる表示手段（ＳＴ１１４〜ＳＴ１２０を実行するＭＰＵ６５）を具備する。
【発明の効果】
【００１０】
ワンセグ放送とフルセグ放送の両方を録画できる映像装置において、記録媒体の残量表示に、ワンセグ放送録画分とフルセグ放送録画分の双方を反映させることができる。
【発明を実施するための最良の形態】
【００１１】
以下、図面を参照してこの発明の種々な実施の形態を説明する。図１は、この発明の一実施形態に係る映像装置（デジタルＴＶ１１）と外部機器（ＨＤＤレコーダなど）の接続例を示すブロック図である。ここでは、デジタルＴＶ（広義には情報通信端末）１１の外観と、このデジタルＴＶ１１を中心として構成されるネットワークシステムの一例を概略的に示している。
【００１２】
すなわち、デジタルＴＶ１１などのシンク機器は、主として、薄型のキャビネット１２と、このキャビネット１２を起立させて支持する支持台１３とから構成されている。そして、キャビネット１２には、例えば液晶表示パネル等でなる平面パネル型の映像表示部１４、スピーカ１５、操作部１６、リモートコントローラ１７から送信される操作情報を受ける受光部１８等が設置されている。
【００１３】
このデジタルＴＶ１１には、例えばＳＤ（Secure Digital）メモリカード、ＭＭＣ（MultiMedia Card）等の第１のメモリカード１９が着脱可能となっており、この第１のメモリカード１９に対してワンセグ番組や写真等の情報の記録再生が行なわれるようになっている。また、デジタルＴＶ１１には、例えば契約情報等の記録された半導体メモリを内蔵する第２のメモリカード（ＩＣカード）２０が着脱可能となっており、この第２のメモリカード２０に対して情報の記録再生が行なわれるようになっている。さらに、デジタルＴＶ１１は、ＬＡＮ（local area network）端子２１、第１のＨＤＭＩ端子２２、第２のＨＤＭＩ端子２３、ＵＳＢ（universal serial bus）端子２４およびｉ．ＬＩＮＫ（登録商標）端子２５を備えている。
【００１４】
ＨＤＭＩ（High Definition Multimedia Interface）規格の伝送ラインには、ＣＥＣ(Consumer Electronics Control)ラインと称される、双方向に制御データの伝送が可能なラインが、映像データの伝送ラインとは別に用意されている。ＨＤＭＩ規格の伝送ラインを介して相互接続されたソース機器（情報の送り手）とシンク機器（情報の受け手）との間での制御には、ＣＥＣを用いることができる。このＣＥＣラインを使って相手の機器を制御することができる。
【００１５】
ＬＡＮ端子２１は、ＬＡＮ対応ＨＤＤ（Hard Disk Drive）専用ポートとして使用することができる。このＬＡＮ端子２１は、接続されたＮＡＳ（Network Attached Storage）であるＬＡＮ対応のＨＤＤ４６に対して、イーサネット（登録商標）により情報の記録再生を行なうために使用される。このように、ＬＡＮ対応ＨＤＤ専用ポートとしてのＬＡＮ端子２１を設けることにより、他のネットワーク環境やネットワーク使用状況等に影響されることなく、ＨＤＤ２６に対してハイビジョン画質による番組の情報記録を安定して行なうことができる。また、ＬＡＮ端子２１は、イーサネットを用いた一般的なＬＡＮ対応ポートとして使用することも可能で、例えばハブを介して、ＬＡＮ対応のＨＤＤ、ＰＣ（personal computer）、ＨＤＤ内臓のＤＶＤレコーダ等の機器を接続し、これらの機器と情報伝送を行なうために使用することができる。
【００１６】
第１のＨＤＭＩ端子２２には、ＡＶ（Audio Visual）アンプ２７を介して、ＤＶＤ／ＨＤＤレコーダ２８およびＤＶＤプレーヤ２９などの外部機器が接続されている。第２のＨＤＭＩ端子２３は、例えばハブ３０を介して、ＨＤＭＩ端子を有したＡＶアンプ３１、ＰＣ３２、ＨＤＤ内臓のＤＶＤ／ＨＤＤレコーダ３３、ＤＶＤプレーヤ３４等の外部機器を接続し、これらの外部機器と情報伝送を行なうために使用される。第１のＨＤＭＩ端子２２および第２のＨＤＭＩ端子２３は、ＨＤＭＩ規格に準拠した形態で外部機器（ＨＤＭＩ−ＣＥＣ対応機器）との間で情報伝送するものである。これらの外部機器には、ワンセグ番組録画に対応可能な機器（ＤＶＤレコーダやＰＣ）も含まれている。
【００１７】
さらに、この第２のＨＤＭＩ端子２３は、ハブ３０に接続されたブロードバンドルータ３５を介して、例えばインターネット等のネットワーク３６に接続し、このネットワーク３６を介してＰＣ３７や携帯電話３８等と情報伝送を行なうために使用される。
【００１８】
ＵＳＢ端子２４は、一般的なＵＳＢ対応ポートとして使用されるもので、例えばハブ３９を介して、携帯電話４０、デジタルカメラ４１、メモリカードに対するカードリーダ／ライタ４２、ＨＤＤ４３、キーボード４４等を接続し、これらのＵＳＢ機器と情報伝送を行なうために使用される。
【００１９】
ｉ．ＬＩＮＫ端子２５は、例えばＡＶ−ＨＤＤ４５及びＤ−ＶＨＳ（Digital Video Home System）４６、さらには、地上波／衛星デジタルチューナを内臓するＳＴＢ（Set Top Box）４６ａ等をシリアル接続（ディジーチェーン接続）し、これらの機器と情報伝送を行なうために使用される。
【００２０】
図２は、ワンセグ放送の録画機能を持つ映像装置（デジタルＴＶ１１）の内部構成を例示するブロック図である。デジタルＴＶ１１は、ＴＶ本体にＨＤＤ８０を内蔵し、ＴＶ本体だけで番組の録画・再生が可能な製品（ＨＤＤ内蔵ＴＶ）である。このＨＤＤ内蔵ＴＶは、地上デジタル放送で放送されるフルセグ番組とワンセグ番組をＨＤＤ８０等に同時録画できるように構成されている。
【００２１】
図２において、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。そして、このチューナ４９で選局された放送信号は、ＰＳＫ（Phase Shift Keying）復調器５０に供給されて、デジタルの映像信号及び音声信号に復調された後、信号処理部５１に出力される。
【００２２】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。そして、このチューナ５４で選局された放送信号は、ＯＦＤＭ（Orthogonal Frequency Division Multiplexing）復調器５５に供給されて、デジタルの映像信号及び音声信号に復調された後、信号処理部５１に出力される。
【００２３】
また、地上波放送受信用のアンテナ５２で受信した地上アナログテレビジョン放送信号は、入力端子５３を介して地上アナログ放送用のチューナ５６に供給されることにより、所望のチャンネルの放送信号が選局される。そして、このチューナ５６で選局された放送信号は、アナログ復調器５７に供給されてアナログの映像信号及び音声信号に復調された後、信号処理部５１に出力される。
【００２４】
ここで、信号処理部５１は、ＰＳＫ復調器５０及びＯＦＤＭ復調器５５からそれぞれ供給されたデジタルの映像信号及び音声信号に対して、選択的に所定のデジタル信号処理を施し、グラフィック処理部５８及び音声処理部５９に出力している。
【００２５】
また、信号処理部５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルＴＶ１１の外部から入力可能とするものである。
【００２６】
そして、この信号処理部５１は、アナログ復調器５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理部５８及び音声処理部５９に出力している。
【００２７】
このうち、グラフィック処理部５８は、信号処理部５１から供給されるデジタルの映像信号に、ＯＳＤ（On Screen Display）信号生成部６１で生成されるＯＳＤ信号を重畳して出力する機能を有する。このグラフィック処理部５８は、信号処理部５１の出力映像信号と、ＯＳＤ信号生成部６１の出力ＯＳＤ信号とを選択的に出力すること、また、両出力をそれぞれ画面の半分を構成するように組み合わせて出力することができる。
【００２８】
なお、ＯＳＤ信号生成部６１で生成されたＯＳＤ画像（図４〜図９の画像を含む）の映像表示部１４表示領域上における表示サイズおよび表示位置は、デフォルトで決めておくか、制御部６５のＭＰＵが実行するファームウエアプログラムにより適宜指定することができる。
【００２９】
そして、グラフィック処理部５８から出力されたデジタルの映像信号は、映像処理部６２に供給される。この映像処理部６２は、入力されたデジタルの映像信号を、前記映像表示部１４で表示可能なフォーマットのアナログ映像信号に変換した後、映像表示部１４に出力して映像表示させるとともに、出力端子６３を介して外部に出力する。
【００３０】
また、音声処理部５９は、入力されたデジタルの音声信号を、スピーカ１５で再生可能なフォーマットのアナログ音声信号に変換した後、スピーカ１５に出力して音声再生させるとともに、出力端子６４を介して外部に出力する。
【００３１】
ここで、デジタルＴＶ１１は、上記した各種の受信動作を含むその全ての動作を制御部６５によって統括的に制御されている。この制御部６５は、ＭＰＵ（Micro Processing Unit）等を内蔵しており、操作部１６からの操作情報、または、リモートコントローラ１７から送出され受光部１８を介して受信した操作情報を受けて、その操作内容が反映されるように各部をそれぞれ制御している。
【００３２】
この場合、制御部６５は、主として、そのＭＰＵが実行する制御プログラム（ファームウエア）を格納したＲＯＭ（Read Only Memory）６６と、該ＭＰＵに作業エリアを提供するワークＲＡＭ（Random Access Memory）６７と、各種の設定情報及び制御情報等が格納される不揮発性メモリ６８とを利用している。また、図示しないが、制御部６５はタイマを内臓しており、ＯＳＤ信号生成部６１等に対する制御タイミングをこのタイマで適宜管理している。
【００３３】
また、制御部６５は、カードＩ／Ｆ（InterFace）６９を介して、前記第１のメモリカード１９が装着可能なカードホルダ７０に接続されている。これによって、制御部６５は、カードホルダ７０に装着された第１のメモリカード１９と、カードＩ／Ｆ６９を介して情報伝送を行なうことができる。
【００３４】
また、制御部６５は、通信Ｉ／Ｆ７３を介してＬＡＮ端子２１と接続されている。これにより、制御部６５は、ＬＡＮ端子２１に接続されたＬＡＮ対応のＨＤＤ２６と、通信Ｉ／Ｆ７３を介して情報伝送を行なうことができる。この場合、制御部６５は、ＤＨＣＰ（Dynamic Host Configuration Protocol）サーバ機能を有し、ＬＡＮ端子２１に接続されたＬＡＮ対応のＨＤＤ２６にＩＰ（Internet Protocol）アドレスを割り当てて制御している。
【００３５】
さらに、制御部６５は、第１のＨＤＭＩ Ｉ／Ｆ７４を介して第１のＨＤＭＩ端子２２と接続されている。これにより、制御部６５は、第１のＨＤＭＩ端子２２に接続された各機器（ＨＤＭＩ−ＣＥＣ対応のＤＶＤ／ＨＤＤレコーダ２８など）と、第１のＨＤＭＩ Ｉ／Ｆ７４を介して情報伝送を行なうことができる。また、制御部６５は、第２のＨＤＭＩ Ｉ／Ｆ７５を介して第２のＨＤＭＩ端子２３と接続されている。これにより、制御部６５は、第２のＨＤＭＩ端子２３に接続された各機器（ＨＤＭＩ−ＣＥＣ対応の赤色／青色レーザ光ディスクレコーダなど）と、第２のＨＤＭＩ Ｉ／Ｆ７５を介して情報伝送を行なうことができる。
【００３６】
制御部６５はまた、ＵＳＢ Ｉ／Ｆ７６を介してＵＳＢ端子２４と接続されている。これにより、制御部６５は、ＵＳＢ端子２４に接続された各機器（図１参照）と、ＵＳＢ Ｉ／Ｆ７６を介して情報伝送を行なうことができる。
【００３７】
さらに、制御部６５は、ｉ．ＬＩＮＫ Ｉ／Ｆ７７を介してｉ．ＬＩＮＫ端子２５と接続されている。これにより、制御部６５は、ｉ．ＬＩＮＫ端子２５に接続された各機器（図１参照）と、ｉ．ＬＩＮＫ Ｉ／Ｆ７７を介して情報伝送を行なうことができる。
【００３８】
図３は、映像装置および外部機器を操作するリモートコントローラ１７の一例を説明する図である。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、Ｒリンクキー１７Ｒ（外部機器とＨＤＭＩ経由でリンクを張る操作キー）、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ、予約機能キー１７ｑ、録画リストキー１７ｓ、残量キー１７ｔ等が設けられている。なお、カーソルキー１７ｆには、上下左右方向へカーソルを移動させる方向キー１７ｆ１〜１７ｆ４が設けられている。
【００３９】
図４は、フルセグとワンセグの同時録画予約を登録する画面１４１を例示する図である。フルセグ番組とワンセグ番組を同時に録画するように指定する録画予約の操作は、図４の操作画面を用いて行うことができる。すなわち、図示しないＥＰＧ（Electronic Program Guide）から所望の番組を選択し、図３のリモートコントローラ１７の予約機能キー１７ｑを押すことで、図４のような画面を呼び出す。この画面上で、リモートコントローラ１７のカーソルキー１７ｆの方向キー１７ｆ１〜１７ｆ４により図４の画面上の所望の項目にカーソルを移動させ、決定キー１７ｇでカーソル位置の項目を選択する。このような操作により、ワンセグ録画する・しないを含めた番組予約を行うことができる。図中のワンセグ録画の設定を「する」と指定することで、フルセグとワンセグの同時録画が、例えば図２のＨＤＤレコーダ８０によりなされる。
【００４０】
図５は、フルセグの録画リストの一例を示す図である。図３のリモートコントローラ１７の録画リストキー１７ｓを押すと図５のフルセグ録画リスト１４２が出画する。もう一度録画リストキー１７ｓを押すと後述する図６のワンセグ録画リスト１４３に切り替わる。もう一度録画リストキー１７ｓを押すと録画リストの画面は消えて放送中の番組画像等に戻る。さらに録画リストキー１７ｓを押すと図５のフルセグ録画リスト１４２が再び出画する。
【００４１】
図５の例は、録画した番組を一覧表示する録画リスト画面のうち、フルセグ番組がリスト表示される画面である。表示されるフルセグ番組に対して、同時に録画したワンセグ番組がある場合、番組リスト部中の番組タイトル欄の右側に、録画日時の表示に隣接して、識別のマーク（四角い１[SEG]アイコン）が表示される（このアイコンは目立つように高コントラスト画像としたり点滅させたりしてもよい）。この録画リストから、ワンセグ録画の有無の確認を含めて、録画した番組を簡単に探せる。ジャンル別、曜日別、連続ドラマグループ別など、詳細な検索を行える上、プレビュー画面（図５の左側中央の白枠）でリスト上の番組内容を見ながら番組を探すことができるようになっている。
【００４２】
さらに、不要なフルセグ番組の削除もこの画面から行うことができる（削除したい番組名の欄にカーソルを移動させたあと図３のリモートコントローラ１７の赤カラーキー１７ｍを押す）。削除後のＨＤＤの残量％は緑カラーキー１７ｍを押すことで同じ画面上に表示できる。
【００４３】
図６は、ワンセグの録画リストの一例を示す図である。図５のフルセグ録画リスト１４２を出している状態で図３のリモートコントローラ１７の録画リストキー１７ｓを押すと図６のワンセグ録画リスト１４３に切り替わる。図６の例示において、録画リストのタイトル部がワンセグ録画リストとなっている。図６のワンセグ録画リスト１４３にリストアップされるのは、図５のフルセグ録画番組のうち識別のマーク（１[SEG]アイコン）が付いている番組だけに絞り込まれている。この録画リストから、ワンセグ録画番組だけを簡単に探せる上、プレビュー画面（図６の左側中央の白枠）でリスト上の番組内容を見ながら番組を探すことができるようになっている。
【００４４】
図５のフルセグ録画リストから番組削除をしたあと、図６のワンセグ番組リストに対応する番組が残っており、その番組も削除したいときは、図６の画面において、削除したい番組名の欄にカーソルを移動させたあと図３のリモートコントローラ１７の赤カラーキー１７ｍを押せばよい。削除後のＨＤＤの残量％は緑カラーキー１７ｍを押すことで同じ画面上に表示できる。
【００４５】
図７は、フルセグの録画リスト上における残量表示の一例を示す図である。図５の画面状態でリモートコントローラ１７の緑カラーキー１７ｍを押すと、あるいは、放送視聴中の画面状態でリモートコントローラ１７の残量キー１７ｔを押すと、図７のハードディスク残量画面１４４が出画する。図７の表示から、ＨＤＤがどのくらい録画済みであるかを容易に把握できる。さらに、録画済み番組のうち一部が誤消去から保護されている（該当タイトルのプログラムに消去禁止のプロテクトフラグが立っている）場合は、録画済部分のうち保護されたプログラムがどの程度あるかも視覚的に直ぐ分かるようになっている。
【００４６】
図８は、フルセグの録画リストの他例を示す図である。この例の画面１４５では、フルセグ番組はないが図示しないワンセグ番組が残っている。図８のフルセグ録画リストの表示において、フルセグ番組は０件だが、ワンセグ番組がＨＤＤ内に多数録画されている。そのために、残量は１００％とはならない。この例で残量を確認した場合、番組表示がブランクなのに残量表示が８４％となっているので、ユーザは違和感を感じる。
【００４７】
図９は、フルセグの録画リスト上における残量表示の他例を示す図である。図８の画面状態でリモートコントローラ１７の緑カラーキー１７ｍを押すと、あるいは、放送視聴中の画面状態でリモートコントローラ１７の残量キー１７ｔを押すと、図９のハードディスク残量画面１４６が出画する（ワンセグ録画がある場合の例）。この例では、図７で示したＨＤＤ残量確認画面に対して、さらに、ワンセグ番組で占められている容量を区別するようにしている。
【００４８】
すなわち、図９の例では、フルセグ録画量の累積値（例えば２５０ＧＢ）に対応する第１の画像（バーグラフ１４６ａ、１４６ｂ）と、ワンセグ録画量の累積値（例えば２０ＧＢ）に対応する第２の画像（バーグラフ１４６ｃ、１４６ｄ）を区別して表示するとともに、録画可能な残量（例えば７３０ＧＢ）に対応する第３の画像（残量％表示１４６ｅ）を同じ画面上で別途表示している。このように、ワンセグ録画量をフルセグ録画量と区別して表示すると、フルセグの録画量がゼロでもワンセグ録画量のバーグラフがゼロでなければ、ＨＤＤの残量が１００％にならない理由が直ぐに分かる。
【００４９】
図５〜図９の表示は、ＨＤＤの残量を確認し、残量が少ないならば残量を増やすために削除する番組をどう選択するかの判断を、ユーザがする際に、利用できる。
【００５０】
なお、フルセグ記録量累積値がゼロであってもワンセグ記録量累積値がゼロでない場合の通告表示として、図９のワンセグバーグラフ１４６ｃ、１４６ｄの代わりに（あるいはそれと併用して）、例えば残量％表示１４６ｅの下に「ワンセグ録画番組が残っています」といった表示（図示せず）を出してもよい。
【００５１】
図１０は、フルセグ録画およびワンセグ録画がなされた場合の残量表示手順の一例を説明するフローチャートである。まず、図３のリモートコントローラ１７の予約機能キー１７ｑを押すことにより図４の番組指定予約画面を出して、番組予約を行う（ブロックＳＴ１００）。予約された番組の録画開始時間になると（ブロックＳＴ１０２Ｙ）、予約番組がフルセグ録画だけなのか、ワンセグ録画だけなのか、あるいはフルセグ録画とワンセグ録画の両方なのかが判定される（ブロックＳＴ１０４）。
【００５２】
フルセグ録画予約されておれば、フルセグ録画がなされ（ブロックＳＴ１０６ａ）、その録画終了後にその録画で消費されたフルセグ録画量が算出され（ブロックＳＴ１０８ａ）、算出されたフルセグ録画量が録画済のフルセグ録画量データに累積加算される（ブロックＳＴ１１０ａ）。ここで、フルセグ録画が１６Ｍｂｐｓ弱の平均レートで６０分行われると、フルセグ録画量は約７ＧＢと算出される。例えば図２のＨＤＤ８０にフルセグ番組が既に２４３ＧＢ記録済みのところ、今回新たにフルセグ番組を７ＧＢ記録したならば、その累積値は２５０ＧＢとなる。この２５０ＧＢが、例えば図２のメモリ６８に記憶される。
【００５３】
同様に、ワンセグ録画予約されておれば、ワンセグ録画がなされ（ブロックＳＴ１０６ｂ）、その録画終了後にその録画で消費されたワンセグ録画量が算出され（ブロックＳＴ１０８ｂ）、算出されたワンセグ録画量が録画済のワンセグ録画量データに累積加算される（ブロックＳＴ１１０ｂ）。ここで、ワンセグ録画が０．４Ｍｂｐｓ強の平均レートで６０分行われると、フルセグ録画量は約０．２ＧＢと算出される。例えば図２のＨＤＤ８０にワンセグ番組が既に１９．８ＧＢ記録済みのところ、今回新たにワンセグ番組を０．２ＧＢ記録したならば、その累積値は２０ＧＢとなる。この２０ＧＢが、例えば図２のメモリ６８に記憶される。
【００５４】
なお、フルセグ録画とワンセグ録画の両方の録画予約がなされていたときは、ＳＴ１０６ａ〜ＳＴ１１０ａのフルセグ録画処理とＳＴ１０６ｂ〜ＳＴ１１０ｂのワンセグ録画処理は、並列処理される。
【００５５】
続いて、ＨＤＤの録画エリアの残量％が計算される（ブロックＳＴ１１２）。例えば、累積記憶されたフルセグ録画量が２５０ＧＢであり、累積記憶されたワンセグ録画量が２０ＧＢであれば、ＨＤＤ８０の消費量は２７０ＧＢとなる。このＨＤＤ８０の全記憶容量が例えば１０００ＧＢ（１ＴＢ）であれば、算出されたＨＤＤ残量は［（１０００ＢＧ−２７０ＧＢ）／１０００ＧＢ］×１００＝７３％となる。この例でのフルセグ録画量２５０ＧＢとワンセグ録画量２０ＧＢとＨＤＤ残量７３％のデータは、例えば図２のメモリ６８に記憶される。
【００５６】
メモリ６８に記憶されたフルセグ録画量２５０ＧＢのうち、誤消去から保護されたプログラム分が例えば１５０ＧＢあり、保護されない消去可能なプログラム分が１００ＧＢあったとする。すると、ＨＤＤ全容量１０００ＧＢのうち１５０ＧＢ分に対応するバーグラフ１４６ａのＯＳＤデータと、ＨＤＤ全容量１０００ＧＢのうち１００ＧＢ分に対応するバーグラフ１４６ｂのＯＳＤデータが生成される（ブロックＳＴ１１４）。
【００５７】
同様に、メモリ６８に記憶されたワンセグ録画量２０ＧＢのうち、誤消去から保護されたプログラム分が例えば１２ＧＢあり、保護されない消去可能なプログラム分が８ＧＢあったとする。すると、ＨＤＤ全容量１０００ＧＢのうち１２ＧＢ分に対応するバーグラフ１４６ｃのＯＳＤデータと、ＨＤＤ全容量１０００ＧＢのうち８ＧＢ分に対応するバーグラフ１４６ｄのＯＳＤデータが生成される（ブロックＳＴ１１６）。
【００５８】
こうして生成されたフルセグ録画量のＯＳＤ画像とワンセグ録画量のＯＳＤ画像は、互いに区別して合成される（ブロックＳＴ１１８）。例えば、バーグラフ１４６ａのＯＳＤ画像は幅広の濃い緑色とし、バーグラフ１４６ｂは幅広の薄めの緑色とし、バーグラフ１４６ｃのＯＳＤ画像は幅狭の濃い赤色とし、バーグラフ１４６ｄは幅狭の薄めの赤色といったように、色とサイズで視覚上の差別化を図ることができる。また、数字通りの比率ではワンセグ録画量のバーグラフがフルセグ録画量のバーグラフと比べて短くなりすぎて視認しにくいときは、ワンセグ録画量のバーグラフ長は適宜拡大表示されてもよい。
【００５９】
フルセグ録画量とワンセグ録画量の合成ＯＳＤ画像を作成したあと、その近傍（図９では右隣）にＨＤＤの残量％の表示画像１４６ｅを挿入して、表示する（ブロックＳＴ１２０）。図９は、その場合の表示例を示している。（ただし、図９に記載された録画可能時間の数値は適当な例示にすぎず、１０００ＧＢのＨＤＤに７３％の残量がある場合の数値ではない。）
図１１は、フルセグ録画番組および／またはワンセグ録画番組の一部または全部が削除された場合の残量表示手順の一例を説明するフローチャートである。図３のリモートコントローラ１７の録画リストキー１７ｓが押されると（ブロックＳＴ２０１）、図５に示すようなフルセグの録画リストが出画する。さらに録画リストキー１７ｓが押されると、図６に示すようなワンセグの録画リストが出画する。もう一度録画リストキー１７ｓを押すとワンセグの録画リストは消され、さらに録画リストキー１７ｓを押すとフルセグの録画リストが再び出画する。
【００６０】
現在の画面がフルセグの録画リストの場合（ブロックＳＴ２０３左分岐→図５）、リモートコントローラ１７のカーソルキー操作で削除したい番組タイトルの欄にカーソルを移動させたあと、赤カラーキー１７ｍを押す（その際、図示しないが、「削除すると元に戻せません。本当に削除しますか？」という警告表示が表れるようにソフトウエアが組まれている場合は、図示しない「消す」という選択枝をカーソルキー操作で選んで決定キー１７ｇを押す）と、選択された番組タイトルのプログラムが（消去禁止のフラグが立っていなければ）消去される（ブロックＳＴ２０５ａ）。この番組削除は、消去できる番組が残っている限り、何度でも反復できる。この番組削除後に、削除された全フルセグ番組の合計データ量が算出され（ブロックＳＴ２０７ａ）、算出された合計データ量が、図２のメモリ６８内のフルセグ録画量累積データから減算される（ブロックＳＴ２０９ａ）。
【００６１】
同様に、現在の画面がワンセグの録画リストの場合（ブロックＳＴ２０３右分岐→図６）は、リモートコントローラ１７のカーソルキー操作で削除したい番組タイトルの欄にカーソルを移動させたあと、赤カラーキー１７ｍを押す（その際、図示しないが、「削除すると元に戻せません。本当に削除しますか？」という警告表示が表れる場合は、図示しない「消す」という選択枝をカーソルキー操作で選んで決定キー１７ｇを押す）と、選択された番組タイトルのプログラムが（消去禁止のフラグが立っていなければ）消去される（ブロックＳＴ２０５ｂ）。この番組削除は、消去できる番組が残っている限り、何度でも反復できる。この番組削除後に、削除された全ワンセグ番組の合計データ量が算出され（ブロックＳＴ２０７ｂ）、算出された合計データ量が、図２のメモリ６８内のワンセグ録画量累積データから減算される（ブロックＳＴ２０９ｂ）。
【００６２】
続いて、ＨＤＤの録画エリアの残量％が計算される（ブロックＳＴ２１２）。例えば、番組削除により減算されたあとのフルセグ録画量が２４１ＧＢであり、番組削除により減算されたあとのワンセグ録画量が１９ＧＢであれば、ＨＤＤ８０の消費量は２６０ＧＢとなる。このＨＤＤ８０の全記憶容量が例えば１０００ＧＢ（１ＴＢ）であれば、算出されたＨＤＤ残量は［（１０００ＢＧ−２６０ＧＢ）／１０００ＧＢ］×１００＝７４％となる。この例でのフルセグ録画量２４１ＧＢとワンセグ録画量１９ＧＢとＨＤＤ残量７４％のデータは、図２のメモリ６８に記憶される。
【００６３】
メモリ６８に記憶されたフルセグ録画量２４１ＧＢのうち、誤消去から保護されたプログラム分が例えば１５０ＧＢあり、保護されない消去可能なプログラム分が９１ＧＢあったとする。すると、ＨＤＤ全容量１０００ＧＢのうち１５０ＧＢ分に対応するバーグラフ１４６ａのＯＳＤデータと、ＨＤＤ全容量１０００ＧＢのうち９１ＧＢ分に対応するバーグラフ１４６ｂのＯＳＤデータが生成される（ブロックＳＴ２１４）。
【００６４】
同様に、メモリ６８に記憶されたワンセグ録画量１９ＧＢのうち、誤消去から保護されたプログラム分が例えば１２ＧＢあり、保護されない消去可能なプログラム分が７ＧＢあったとする。すると、ＨＤＤ全容量１０００ＧＢのうち１２ＧＢ分に対応するバーグラフ１４６ｃのＯＳＤデータと、ＨＤＤ全容量１０００ＧＢのうち７ＧＢ分に対応するバーグラフ１４６ｄのＯＳＤデータが生成される（ブロックＳＴ２１６）。
【００６５】
こうして生成されたフルセグ録画量のＯＳＤ画像とワンセグ録画量のＯＳＤ画像は、互いに区別して合成される（ブロックＳＴ２１８）。例えば、バーグラフ１４６ａのＯＳＤ画像は幅広の濃い緑色とし、バーグラフ１４６ｂは幅広の薄めの緑色とし、バーグラフ１４６ｃのＯＳＤ画像は幅狭の濃い赤色とし、バーグラフ１４６ｄは幅狭の薄めの赤色といったように、色とサイズで視覚上の差別化を図ることができる。また、数字通りの比率ではワンセグ録画量のバーグラフがフルセグ録画量のバーグラフと比べて短くなりすぎて視認しにくいときは、ワンセグ録画量のバーグラフ長は適宜拡大表示されてもよい。
【００６６】
フルセグ録画量とワンセグ録画量の合成ＯＳＤ画像を作成したあと、その近傍（図９では右隣）にＨＤＤの残量％の表示画像１４６ｅを挿入して、表示する（ブロックＳＴ２２０）。図９は、その場合の表示例を示している。（ただし、図９に記載された録画可能時間の数値は適当な例示にすぎず、１０００ＧＢのＨＤＤに７４％の残量がある場合の数値ではない。）
ここで、もしフルセグ録画番組が全消去されたとしても、仮にワンセグ番組が２０ＧＢ分残っていたとすると、１０００ＧＢＨＤＤの残量％は１００％とはならず、９８％となる。なぜ１００％にならないのかは、図９のＨＤＤ残量画面を出してワンセグ録画のバーグラフを見れば、直ぐに納得でき、ユーザが困惑することはなくなる。
【００６７】
＜実施の形態のまとめ＞
ａ．同時放送されるフルセグ番組とワンセグ番組は、同一の番組内容であり、同じ録画リスト上で個別に表示するのは煩雑。
【００６８】
ｂ．ワンセグ同時録画中はワンセグ番組が再生できない制約があり、フルセグ・ワンセグは別個の録画リストとするのが妥当。
【００６９】
ｃ．録画リストの番組数が０であるにもかかわらずＨＤＤ残量が１００％とならない場合がありユーザはとまどいやすい。その対策として、ワンセグ番組のＨＤＤ内に占める容量を区別して表示する。
【００７０】
＜実施の形態の効果＞
フルセグ・ワンセグの区別無く残量表示されると、番組のリスト表示は０件であるにもかかわらず残量が１００％とならないことでユーザにとまどい（あるいは誤解）を与える。ＨＤＤ内に占めるワンセグ録画分に区別を付けて残量表示することにより、録画リストに表示される番組（フルセグ録画番組）と異なる管理下の番組（ワンセグ録画番組）でＨＤＤの容量が占められていることが判りやすくなる。
【００７１】
すなわち、ワンセグ放送とフルセグ放送の両方を録画できる映像装置において、記録媒体の残量表示に、ワンセグ放送録画分とフルセグ放送録画分の双方を反映させる。すると、フルセグ放送録画分がなくてもワンセグ放送録画分があれば、そのワンセグ放送録画分に対応して記録媒体の残量が１００％より小さくなっていることが分かる。
【００７２】
＜実施の形態と発明との対応例＞
（１）この発明に係る映像装置（デジタルＴＶ、ＳＴＢ、デジタルビデオレコーダなど）は、複数セグメント（１３個の伝送単位）が多重化されるデジタル放送方式（ＩＳＤＢ−Ｔ）の放送番組を記録する記録装置（内臓ＨＤＤ、外部接続ＨＤＤ、ＩＣメモリ、光ディスクレコーダなど）を用いる。前記複数セグメントのうちの１セグメントをワンセグとし、このワンセグ以外の前記複数セグメントをフルセグとしたときに、この映像装置は、
前記フルセグを用いた放送番組（フルセグ番組）の記録量をフルセグ記録量（フルセグ番組記録時間とフルセグ番組記録レートの積に比例するデータ量）として検出するフルセグ記録量検出手段（ＳＴ１０６ａ〜ＳＴ１０８ａを実行するＭＰＵ６５）と、
前記フルセグ記録量の累積値（例えば既に２４３ＧＢ記録済みのところ新たに７ＧＢ記録すると累積値は２５０ＧＢ）を記憶するフルセグ記録量記憶手段（ＳＴ１１０ａを実行するＭＰＵ６５）と、
前記ワンセグを用いた放送番組（ワンセグ番組）の記録量をワンセグ記録量（ワンセグ番組記録時間とワンセグ番組記録レートの積に比例するデータ量）として検出するワンセグ記録量検出手段（ＳＴ１０６ｂ〜ＳＴ１０８ｂを実行するＭＰＵ６５）と、
前記ワンセグ記録量の累積値（例えば既に１９．８ＧＢ記録済みのところ新たに０．２ＧＢ記録すると累積値は２０ＧＢ）を記憶するワンセグ記録量記憶手段（ＳＴ１１０ｂを実行するＭＰＵ６５）と、
前記フルセグ記録量の累積値（例えば２５０ＧＢ）および前記ワンセグ記録量の累積値（例えば２０ＧＢ）と、前記記録装置（ＨＤＤ）の全記録容量（例えば１０００ＧＢ）から、前記記録装置（ＨＤＤ）の記録可能な残量（７３０ＧＢ）を算出する残量算出手段（ＳＴ１１２を実行するＭＰＵ６５）と、
前記フルセグ記録量の累積値（例えば２５０ＧＢ）に対応する第１の画像（図９の１４６ａ、１４６ｂ）と、前記ワンセグ記録量の累積値（例えば２０ＧＢ）に対応する第２の画像（図９の１４６ｃ、１４６ｄ）と、前記記録可能な残量（７３０ＧＢ）に対応する第３の画像（図９の１４６ｅ）を、区別して表示させる表示手段（ＳＴ１１４〜ＳＴ１２０を実行するＭＰＵ６５）を具備している。
【００７３】
（２）上記映像装置では、前記第１の画像（図９の１４６ａ、１４６ｂ）、前記第２の画像（図９の１４６ｃ、１４６ｄ）および前記第３の画像（図９の１４６ｅ）は、同じ画面上で視認できるように表示される。
【００７４】
（３）上記映像装置では、前記記録装置（ＨＤＤ）の記録エリアは前記フルセグ記録量の累積値（例えば２５０ＧＢ）と前記ワンセグ記録量の累積値（例えば２０ＧＢ）の分、消費される。前記第３の画像（図９の１４６ｅ）は、前記記録装置（ＨＤＤ）の前記全記録容量（例えば１０００ＧＢ）に対する前記記録可能な残量（７３０ＧＢ）の割合を％表示した数値（例えば７３％）を含む。そして、前記ワンセグ記録量の累積値（例えば２０ＧＢ）がゼロでない限り、前記フルセグ記録量の累積値がゼロであっても、前記％表示した数値（図９の１４６ｅの７３％）が１００％にならない（図１１のＳＴ２２０）ように構成される。
【００７５】
（４）上記映像装置では、前記ワンセグ記録量の累積値に対応する第２の画像（図９の１４６ｃ、１４６ｄ）は、誤消去から保護された部分（図９の１４６ｃ）および消去可能な部分（図９の１４６ｄ）を含むことができる。そして、前記第２の画像に前記誤消去から保護された部分（図９の１４６ｃ）および／または前記消去可能な部分（図９の１４６ｄ）がある限り、前記記録可能な残量の割合を％表示した数値は、１００％にならない（図１１のＳＴ２２０）。
【００７６】
（５）上記映像装置では、前記記録装置（ＨＤＤ）の記録エリアから前記フルセグ記録量の一部または全部が削除可能に構成され（図１１のＳＴ２０５ａ〜ＳＴ２０９ａ）、前記記録装置（ＨＤＤ）の記録エリアから前記ワンセグ記録量の一部または全部が削除可能に構成されている（図１１のＳＴ２０５ｂ〜ＳＴ２０９ｂ）。そして、前記フルセグ記録量および前記ワンセグ記録量の削除分が前記％表示した数値（図９の１４６ｅ）に反映される（図１１のＳＴ２２０）ように構成される。
【００７７】
（６）この発明に係る残量表示方法は、複数セグメントが多重化されるデジタル放送方式の放送番組を記録するもの（ＨＤＤ８０など）で用いられる。前記複数セグメントのうちの１セグメントをワンセグとし、このワンセグ以外の前記複数セグメントをフルセグとしたときに、この方法では、前記フルセグを用いた放送番組（フルセグ番組）の記録量をフルセグ記録量として検出し（ＳＴ１０６ａ〜ＳＴ１０８ａ）、前記フルセグ記録量の累積値を記憶し（ＳＴ１１０ａ）、前記ワンセグを用いた放送番組（ワンセグ番組）の記録量をワンセグ記録量として検出し（ＳＴ１０６ｂ〜ＳＴ１０８ｂ）、前記ワンセグ記録量の累積値を記憶する（ＳＴ１１０ｂ）。そして、前記フルセグ記録量の累積値（例えば２５０ＧＢ）および前記ワンセグ記録量の累積値（例えば２０ＧＢ）と、前記記録装置（ＨＤＤ）の全記録容量（例えば１０００ＧＢ）から、前記記録装置（ＨＤＤ）の記録可能な残量（７３０ＧＢ）を算出し（ＳＴ１１２）、前記フルセグ記録量の累積値（例えば２５０ＧＢ）に対応する第１の画像（図９の１４６ａ、１４６ｂ）と、前記ワンセグ記録量の累積値（例えば２０ＧＢ）に対応する第２の画像（図９の１４６ｃ、１４６ｄ）と、前記記録可能な残量（７３０ＧＢ）に対応する第３の画像（図９の１４６ｅ）を、区別して表示させる（ＳＴ１１４〜ＳＴ１２０：図９）ようにしている。
【００７８】
なお、この発明は前述した実施の形態に限定されるものではなく、実施段階ではその要旨を逸脱しない範囲で種々に変形することが可能である。例えば、フルセグ番組が全消去されていてもＨＤＤ残量が１００％にならない場合、ＨＤＤ残量表示を出画させる際に、ワンセグ番組がＨＤＤに残っている旨の音声案内を図２のスピーカ１５から出すようにしてもよい。
【００７９】
また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００８０】
【図１】この発明の一実施形態に係る映像装置（デジタルＴＶ）と外部機器（ＨＤＤレコーダなど）の接続例を示すブロック図。
【図２】映像装置の内部構成例を示すブロック図。
【図３】映像装置および外部機器を操作するリモートコントローラの一例を説明する図。
【図４】フルセグとワンセグの同時録画予約を登録する画面を例示する図。
【図５】フルセグの録画リストの一例を示す図。
【図６】ワンセグの録画リストの一例を示す図。
【図７】フルセグの録画リスト上における残量表示の一例を示す図。
【図８】フルセグの録画リストの他例を示す図。
【図９】フルセグの録画リスト上における残量表示の他例を示す図。
【図１０】フルセグ録画およびワンセグ録画がなされた場合の残量表示手順の一例を説明するフローチャート図。
【図１１】フルセグ録画番組および／またはワンセグ録画番組の一部または全部が削除された場合の残量表示手順の一例を説明するフローチャート図。
【符号の説明】
【００８１】
１１…映像装置（デジタルＴＶ／情報通信端末）、１４…映像表示部、１５…スピーカ、１６…操作部、１７…リモートコントローラ、１７ｐ…メニューキー、１７ｑ…予約機能キー、１７ｓ…録画リストキー、１７ｔ…残量キー、１８…リモートコントローラ受光部、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．ＬＩＮＫ端子、２６…ＨＤＤレコーダ、２７…ＡＶアンプ、２８…ＤＶＤ／ＨＤＤレコーダ、２９…ＤＶＤプレーヤ、３０…ハブ、３１…ＡＶアンプ、３２…ＰＣ、３３…ＤＶＤ／ＨＤＤレコーダ、３４…ＤＶＤプレーヤ、３５…ブロードバンドルータ、３６…ネットワーク、３７…ＰＣ、３８…携帯電話、３９…ハブ、４０…携帯電話、４１…デジタルカメラ、４２…カードリーダ／ライタ、４３…ＨＤＤレコーダ、４４…キーボード、４５…ＡＶ−ＨＤＤレコーダ、４６…Ｄ−ＶＨＳレコーダ、４７…アンテナ、４８…入力端子、４９…チューナ、５０…ＰＳＫ復調器、５１…信号処理部、５２…アンテナ、５３…入力端子、５４…チューナ、５５…ＯＦＤＭ復調器、５６…チューナ、５７…アナログ復調器、５８…グラフィック処理部、５９…音声処理部、６０ａ〜６０ｄ…入力端子、６１…ＯＳＤ信号生成部、６２…映像処理部、６３…出力端子、６４…出力端子、６５…制御部、６６…ＲＯＭ（ファームウエアプログラム等）、６７…ワークＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．ＬＩＮＫ Ｉ／Ｆ。
【図１】
2010056760.tif 000003
【図２】
2010056760.tif 000004
【図３】
2010056760.tif 000005
【図４】
2010056760.tif 000006
【図５】
2010056760.tif 000007
【図６】
2010056760.tif 000008
【図７】
2010056760.tif 000009
【図８】
2010056760.tif 000010
【図９】
2010056760.tif 000011
【図１０】
2010056760.tif 000012
【図１１】
2010056760.tif 000013